(57)【要約】      （修正有）【課題】キャリア本体を支持するベルト部材の連結を、磁気吸引力による吸引を利用して簡易に行うことができる子守帯を提供する。【解決手段】子守帯は、キャリア本体１と、キャリア本体を支持する左右一対の肩ベルト２と、肩ベルト間に備えられ肩ベルトの間隔を規制するブリッジベルト３と、ブリッジベルトを連結または分離可能とする連結部材４を備える。連結部材４は、他方の磁石と結合または分離可能な一方の磁石、および上面に上面と平行でブリッジベルト３の連結・分離方向と直角な軸の回りを回動することにより一方の磁石と他方の磁石との連結を解除する連結解除板を備える一方のスナップ部材４ａと、他方の磁石を備える他方のスナップ部材４ｂとを有する。【選択図】図１
0003208413.tif 000002
【実用新案登録請求の範囲】
【請求項１】
キャリア本体と、
該キャリア本体を支持する左右一対の肩ベルトと、
該肩ベルト間に備えられ該肩ベルトの間隔を規制するブリッジベルトと、
該ブリッジベルトを連結または分離可能とする連結部材を備え、
前記連結部材は、後記他方の磁石と結合または分離可能な一方の磁石、および上面に該上面と平行で前記ブリッジベルトの連結・分離方向と直角な軸の回りを回動することにより前記一方の磁石と後記他方の磁石との連結を解除する連結解除板を備える一方のスナップ部材と、他方の磁石を備える他方のスナップ部材とを有することを特徴とする子守帯。
【請求項２】
前記一方のスナップ部材と前記他方のスナップ部材との連結の際、前記一方のスナップ部材と前記他方のスナップ部材に、前記一方のスナップ部材と前記他方のスナップ部材とを嵌合保持する嵌合部を設け、前記一方のスナップ部材と前記他方のスナップ部材とを分離する際、前記連結解除板の回動時の押圧力により前記他方のスナップ部材を押圧し、前記嵌合部の嵌合を解除して、前記一方のスナップ部材と前記他方のスナップ部材とを分離することを特徴とする請求項１に記載の子守帯。
【請求項３】
前記連結解除板を前記一方の磁石の磁気吸引力により吸引可能な金属板で構成し、前記連結解除板に開口部を設けると共に、前記他方のスナップ部材に突起部を設け、前記一方のスナップ部材と前記他方のスナップ部材とを連結する際、前記一方の磁石と前記他方の磁石を磁気吸引力により吸引させ、前記開口部を前記突起部に嵌合させると共に、前記連結解除板を前記一方の磁石に吸引させ、前記一方のスナップ部材と前記他方のスナップ部材とを分離する際、前記連結解除板の前記軸の回りの回動により、前記連結解除板を前記一方の磁石から離脱させると共に、前記開口部を前記突起部から離脱させることを特徴とする請求項１または請求項２に記載の子守帯。
【請求項４】
前記連結解除板の一方の端部に、一端が締結され、前記一方のスナップ部材と前記他方のスナップ部材との分離操作をするための連結解除紐を備えることを特徴とする請求項１ないし請求項３のいずれか１項に記載の子守帯。
【請求項５】
前記連結解除紐の他端に、つまみ部を備えることを特徴とする請求項４に記載の子守帯。
【請求項６】
前記連結解除板の先端部の先端に前記嵌合部の嵌合を解除するための押圧部を設け、前記他方のスナップ部材に、前記一方のスナップ部材と前記他方のスナップ部材とを分離する際に前記押圧部により押圧される開口端部を設けたことを特徴とする請求項１ないし請求項５のいずれか１項に記載の子守帯。
【請求項７】
前記嵌合部は、前記一方のスナップ部材に設けられる略ハ字状の列状凹部に形成されたハ字状凹部と、前記他方のスナップ部材に設けられる略ハ字状の列状凸部に形成されたハ字状凸部からなることを特徴とする請求項２ないし請求項６のいずれか１項に記載の子守帯。
【請求項８】
前記一方のスナップ部材は、前記ブリッジベルトの連結・分離方向と平行な方向に形成された複数列のガイド部を備え、前記他方のスナップ部材は、前記一方のスナップ部材と前記他方のスナップ部材の連結時、前記ガイド部の連結をガイドする複数列のガイド溝を備えることを特徴とする請求項１ないし請求項７のいずれか１項に記載の子守帯。
【請求項９】
一端が前記ブリッジベルトのベルト部に繋がり、他端側が、前記他方のスナップ部材の裏面側と人体側との間に介在し、前記他方のスナップ部材の外側まで伸びる舌状体を設けたことを特徴とする請求項１ないし請求項８のいずれか１項に記載の子守帯。
【考案の詳細な説明】
【技術分野】
【０００１】
本考案は、幼児を保持する子守帯に係り、特に、使用者の両肩から両脇にかけて掛けられる左右一対の肩ベルトの間隔を規制するブリッジベルトを有する子守帯に関する。
【背景技術】
【０００２】
子守帯（ベビーキャリア）は、幼児を前抱き（抱っこ）、または背負い（おんぶ）の状態で保持するなどの幼児の保持態様に応じた種々の形態が知られている。例えば、下記特許文献１および特許文献２などに示されるように、幼児を収容保持するキャリア本体の上端両側と下端両側とにリュック式に差し渡す左右一対の肩ベルト（ショルダベルト）を備えるとともに、使用者（保護者）が装着状態において肩ベルトの間隔を規制するブリッジベルトを備えてなる子守帯が提案されている。
このような子守帯においては、使用者の両肩から両脇にかけて掛けられる肩ベルトの間隔をブリッジベルトによる連結により規制することにより、幼児の保持状態において肩ベルトが使用者の肩からずり落ちることを防いでいる。つまり、肩ベルトの間隔離反を防いで肩からの肩落ちを防止するものである。これによって、使用者への子守帯の安定した装着性と幼児を安全、快適に抱っこ保持した状態で子守帯を使用することができるようにしている。
【０００３】
このような構成においては、子守帯は、肩ベルトに取り付けられるブリッジベルトに、ブリッジベルトの連結・分離を可能とする２部材からなる連結部材を備えている。これにより、使用者が子守帯を身体に装着するときや身体から取り外すときにこの連結部材によるブリッジベルトの分離によって、子守帯の装着、取り外しをスムーズに行ない得るようにしている。一方、肩ベルトを両肩に掛けた後に連結部材によってブリッジベルトを連結することで、肩ベルトの間隔を規制し、肩ベルトが使用者の肩からずり落ちることを防いでいる。
【先行技術文献】
【特許文献】
【０００４】
【特許文献１】特開２００６−１３０２３３号
【特許文献２】特開平１１−０４６９３８号
【考案の概要】
【考案が解決しようとする課題】
【０００５】
しかしながら、特許文献１および特許文献２に記載のものは、ブリッジベルトを連結・分離する連結部材が、挿入係止爪（弾性係止爪）を有する雄バックル部材と、挿入係止爪が係脱自在に挿入係止される挿入係止口を有する雌バックル部材とから構成されている。
そのため、子守帯を身体に装着するときなどは、使用者にとって連結部材によるブリッジベルトの連結が非常に面倒であるという問題を有していた。特に、特許文献１の図４および図６に示されているように、使用者の背中側で雄バックル部材と雌バックル部材とを連結させる場合などには、使用者は背中に両手を回し、なおかつ、手探り状態で雄バックル部材の挿入係止爪を雌バックル部材の挿入係止口に位置合わせして、挿入係止爪を挿入係止口に挿し込む（差し込む）という非常に面倒な連結操作を必要としていた。
また、連結部材の連結操作が煩わしいなどから、時間を要するなどによって使用者に精神的な負担を与えることから、連結操作の簡便化が望まれ、また、同様に、雄バックル部材と雌バックル部材との連結状態を解除してブリッジベルトを分離させる場合も、連結部材の分離操作の簡便化が望まれる。
【０００６】
本考案は、上記従来技術の問題点に対処することを課題として考案されたものであり、キャリア本体を支持する肩ベルトの間隔を規制するブリッジベルトの連結および連結解除（分離）を、ブリッジベルトに設けられた連結部材に内蔵する磁性部材の磁気吸引力による磁気的結合および磁気的結合の解除を利用して、ブリッジベルトの連結および連結解除（分離）を、容易に行うことのできる子守帯を提供することを目的とするものである。
【課題を解決するための手段】
【０００７】
前記課題を解決するために、本考案は、少なくとも以下の構成を具備するものである。
【０００８】
本考案の子守帯は、キャリア本体と、該キャリア本体を支持する左右一対の肩ベルトと、該肩ベルト間に備えられ該肩ベルトの間隔を規制するブリッジベルトと、該ブリッジベルトを連結または分離可能とする連結部材を備え、前記連結部材は、後記他方の磁石と結合または分離可能な一方の磁石、および上面に該上面と平行で前記ブリッジベルトの連結・分離方向と直角な軸の回りを回動することにより前記一方の磁石と後記他方の磁石との連結を解除する連結解除板を備える一方のスナップ部材と、他方の磁石を備える他方のスナップ部材とを有することを特徴とする。
【０００９】
また、本考案の子守帯は、前記一方のスナップ部材と前記他方のスナップ部材との連結の際、前記一方のスナップ部材と前記他方のスナップ部材に、前記一方のスナップ部材と前記他方のスナップ部材とを嵌合保持する嵌合部を設け、前記一方のスナップ部材と前記他方のスナップ部材とを分離する際、前記連結解除板の回動時の押圧力により前記他方のスナップ部材を押圧し、前記嵌合部の嵌合を解除して、前記一方のスナップ部材と前記他方のスナップ部材とを分離することを特徴とする。
【００１０】
また、本考案の子守帯は、前記連結解除板を前記一方の磁石の磁気吸引力により吸引可能な金属板で構成し、前記連結解除板に開口部を設けると共に、前記他方のスナップ部材に突起部を設け、前記一方のスナップ部材と前記他方のスナップ部材とを連結する際、前記一方の磁石と前記他方の磁石を磁気吸引力により吸引させ、前記開口部を前記突起部に嵌合させると共に、前記連結解除板を前記一方の磁石に吸引させ、前記一方のスナップ部材と前記他方のスナップ部材とを分離する際、前記連結解除板の前記軸の回りの回動により、前記連結解除板を前記一方の磁石から離脱させると共に、前記開口部を前記突起部から離脱させることを特徴とする。
【００１１】
また、本考案の子守帯は、前記連結解除板の一方の端部に、一端が締結され、前記一方のスナップ部材と前記他方のスナップ部材との分離操作をするための連結解除紐を備えることを特徴とする。
【００１２】
また、本考案の子守帯は、前記連結解除紐の他端に、つまみ部を備えることを特徴とする。
【００１３】
また、本考案の子守帯は、前記連結解除板の先端部の先端に前記嵌合部の嵌合を解除するための押圧部を設け、前記他方のスナップ部材に、前記一方のスナップ部材と前記他方のスナップ部材とを分離する際に前記押圧部により押圧される開口端部を設けたことを特徴とする。
【００１４】
また、本考案の子守帯は、前記嵌合部は、前記一方のスナップ部材に設けられる略ハ字状の列状凹部に形成されたハ字状凹部と、前記他方のスナップ部材に設けられる略ハ字状の列状凸部に形成されたハ字状凸部からなることを特徴とする。
【００１５】
また、本考案の子守帯は、前記一方のスナップ部材は、前記ブリッジベルトの連結・分離方向と平行な方向に形成された複数列のガイド部を備え、前記他方のスナップ部材は、前記一方のスナップ部材と前記他方のスナップ部材の連結時、前記ガイド部の連結をガイドする複数列のガイド溝を備えることを特徴とする。
【００１６】
また、本考案の子守帯は、一端が前記ブリッジベルトのベルト部に繋がり、他端側が、前記他方のスナップ部材の裏面側と人体側との間に介在し、前記他方のスナップ部材の外側まで伸びる舌状体を設けたことを特徴とする。
【考案の効果】
【００１７】
本考案によれば、子守帯を装着する使用者は背中に回した両手または胸側の両手で、一方の磁石と他方の磁石を有する連結部材相互を接近させる操作だけで、ブリッジベルトを連結させることができる。つまり、ブリッジベルトの連結を磁気吸引力による結合を用いた簡易操作で行ない、磁気吸引後は、連結部材の一方のスナップ部材（雄スナップ部材）と他方のスナップ部材（雌スナップ部材）との結合により、両者を強固に連結することができるものである。
また、一方のスナップ部材（雄スナップ部材）と他方のスナップ部材（雌スナップ部材）との連結を解除するためには、連結解除板を回動することにより、一方のスナップ部材と他方のスナップ部材との結合を解除し、両者を容易に分離することができる。
【００１８】
以上のように、本考案によれば、肩ベルトの間隔を規制するブリッジベルトの連結部材による連結・分離を、連結部材の簡易操作によって行うことができるので、身体への装着性が大幅に改善され、しかも、使用者の負担を大幅に軽減することができるなど、実用性に優れた使い勝手が極めて良い子守帯を提供することができる。
また、連結部材は、子守帯の肩ベルトの間隔を規制するブリッジベルトの連結として要求される機械的強度にてブリッジベルトを連結するので、使用時において高い信頼性と安全性とを確保することができる。
【図面の簡単な説明】
【００１９】
【図１】本考案の実施形態に係る子守帯の全体構成の一例を示す説明図である。
【図２】子守帯の使用例を示す説明図であり、（ａ）は幼児の前抱き状態を示す斜視図、（ｂ）は幼児の背負い状態を示す斜視図である。
【図３】ブリッジベルトを連結・分離可能とする連結部材の一例を示す説明図であり、（ａ）は雄スナップ部材４ａと雌スナップ部材４ｂとの連結（結合）状態を示した斜視図、（ｂ）は雄スナップ部材と雌スナップ部材との分離状態を示した斜視図である。
【図４】ブリッジベルトを連結・分離可能とする連結部材の雄スナップ部材４ａの説明図であり、（ａ）は雄スナップ部材４ａの表面側から見た平面図、（ｂ）は雄スナップ部材４ａの裏面側から見た平面図、（ｃ）は（ａ）のａ−ａ断面図である。
【図５】ブリッジベルトを連結・分離可能とする連結部材の雌スナップ部材４ｂの説明図であり、（ａ）は雌スナップ部材４ｂの表面側から見た平面図、（ｂ）は雌スナップ部材４ｂの裏面側から見た平面図、（ｃ）は（ａ）のｂ−ｂ線断面図である。
【図６】ブリッジベルトを連結・分離可能とする連結部材の一例を示す説明図であり、（ａ）は雄スナップ部材４ａと雌スナップ部材４ｂとの連結状態における表面側から見た平面図、（ｂ）雄スナップ部材４ａと雌スナップ部材４ｂとの連結状態における裏面側から見た平面図である。
【図７】ブリッジベルトを連結・分離可能とする連結部材の一例を示す説明図であり、（ａ）は図６（ａ）のｃ−ｃ線断面図、（ｂ）は（ａ）における雄スナップ部材４ａと雌スナップ部材４ｂとの連結状態から分離状態に至る過程を示す断面図である。
【図８】図３（ａ）の実施形態と異なるブリッジベルトを連結・分離可能とする連結部材の一例を示す説明図であり、（ａ）は雄スナップ部材４ａと雌スナップ部材４ｂとの連結（結合）状態を示した斜視図、（ｂ）は雄スナップ部材と雌スナップ部材との分離状態を示した斜視図である。
【考案を実施するための形態】
【００２０】
以下、図面を適宜参照しながら、本考案の実施形態に係る子守帯Ａについて詳細に説明する。本考案の実施形態は図示の形態を含むが、これに特に限定されるものではない。
本実施形態に係る子守帯Ａは、図１に示すように構成され、また図２（ａ）、（ｂ）に示すように、幼児を前抱きの状態、または幼児をおんぶの状態で保持し得るように構成されている。そして、子守帯Ａは、キャリア本体１を使用者（装着者）の身体によって支持する左右一対の両肩ベルト２，２、両肩ベルト２，２の間隔を規制するブリッジベルト３（３ａ，３ｂ）、ブリッジベルト３（３ａ，３ｂ）の結合・分離を可能とする連結部材４（４ａ，４ｂ）などから構成されている。
【００２１】
≪子守帯Ａの説明≫
図１は、本実施形態に係る子守帯Ａの一例を示した説明図である。図２は、子守帯Ａの使用例を示した説明図であり、図２（ａ）は、幼児の前抱き状態を示した斜視図、図２（ｂ）は、幼児のおんぶ状態を示した斜視図である。
【００２２】
子守帯Ａは、図１および図２に示すように、幼児の尻から背中全体を包み込むように収容保持するキャリア本体１と、このキャリア本体１の上辺両側に一端側が、下辺両側に他端側が取り付けられてキャリア本体１を支持する左右一対の両肩ベルト２，２と、この両肩ベルト２，２に取り付けられて両肩ベルト２，２の間隔を規制するブリッジベルト３とを備えている。
【００２３】
このように構成される子守帯Ａにおいて、左右一対の両肩ベルト２，２の間隔を規制するブリッジベルト３は、両肩ベルト２，２に一端側がそれぞれループ形態にてベルト方向に移動可能に取り付けられるブリッジベルト３ａ，３ｂから形成されている。ブリッジベルト３ａ，３ｂの他端側には両ブリッジベルト３ａ，３ｂを連結・分離可能とする２部材からなる連結部材４（４ａ，４ｂ）を備えている。
【００２４】
≪連結部材４の説明≫
図３は、ブリッジベルト３を連結・分離可能とする連結部材４（４ａ，４ｂ）の一例を示した説明図であり、図３（ａ）は、雄スナップ部材４ａと雌スナップ部材４ｂとの結合状態を示した斜視図、図３（ｂ）は、雄スナップ部材４ａと雌スナップ部材４ｂとの分離状態を示した斜視図である。
【００２５】
連結部材４（４ａ，４ｂ）は、図３（ａ）、（ｂ）に示すように、相互の磁気吸引力によって結合される雄スナップ部材４ａと雌スナップ部材４ｂとの２部材から構成されている。雄スナップ部材４ａおよび雌スナップ部材４ｂは、ブリッジベルト３のベルト幅よりも略幅広矩形の平形状を成し、図３（ａ）に示すように平面が重なる関係で結合されるように形成されている。
【００２６】
また、図３（ａ）に示すように、雄スナップ部材４ａと雌スナップ部材４ｂとの連結（結合）状態において、雄スナップ部材４ａの略中央部に設けられた雄側磁石部１３（不図示）と雌スナップ部材４ｂの略中央部に設けられた雌側磁石部１７とが互いの磁気吸引力により吸引されて面接触（当接）状態で密着するように形成されている。また、図３（ｂ）に示すように、雄スナップ部材４ａと雌スナップ部材４ｂとの分離状態においては、雄スナップ部材４ａに設けられた雄側磁石部１３（不図示）と雌スナップ部材４ｂに設けられた雌側磁石部１７とは互いの磁気吸引力に抗して分離された状態となるように形成されている。
【００２７】
≪雄スナップ部材４ａの説明≫
図４は、雄スナップ部材４ａの説明図であり、図４（ａ）は軸５を中心に回動自在であって、雄側磁石部１３による磁気吸引力が作用可能な金属板などからなる連結解除板６、連結解除紐１１などを有する表面側から見た形態を示し、図４（ｂ）は雄側磁石部１３、ハ字状凹部１４，１４などを有する裏面側から見た形態を示し、図４（ｃ）は図４（ａ）のａ−ａ線断面図である。
雄スナップ部材４ａには、図４（ａ）に示すように、連結解除板６が雄スナップ部材４ａの先端部７側に設けられる軸５において雄スナップ部材４ａ本体に軸支されている。連結解除板６の後端部８には連結解除紐１１の一端が締結されており、この連結解除紐１１の他端を上部に引くことにより、連結解除板６が軸５を中心に回動し、雄スナップ部材４ａに設けられる雄側磁石部１３と雌スナップ部材４ｂに設けられる雌側磁石部１７との磁気吸引力による結合を解除するように構成されている。ここで、連結解除紐１１の他端である先端部には連結解除紐１１の操作を容易にするためのボタン状のつまみ部１２が設けられている。
【００２８】
なお、雄スナップ部材４ａは、短辺片側にブリッジベルト３のベルト部３ａ側を通すベルト取付部１６を備えている。ベルト取付部１６は、ベルト部３ａに対する雄スナップ部材４ａの取り付け位置をベルト方向に調節移動し得るようにベルト部３ａを雄スナップ部材４ａの短辺片側において係止・移動可能に通す形状に形成されている。
【００２９】
また、図４（ｂ）に示すように、雄スナップ部材４ａの裏面側にハ字状凹部１４，１４が略ハ字状の列状凹部で形成されている。その結果、雄側磁石部１３と雌側磁石部１７とが相互の磁気引付力により雄スナップ部材４ａと雌スナップ部材４ｂとが磁気的に結合される際、後記する雌側スナップ部材４ｂに略ハ字状の列状凸部で形成されたハ字状凸部１８、１８が、このハ字状凹部１４，１４に嵌合されるので、雄スナップ部材４ａと雌スナップ部材４ｂとが機械的に連結される。このようにハ字状凸部１８，１８がハ字状凹部１４，１４に嵌合されると、雄スナップ部材４ａと雌スナップ部材４ｂの連結後の両者の上下、左右方向の移動が規制され、雄スナップ部材４ａと雌スナップ部材４ｂとが機械的に強固に結合される。
【００３０】
また、連結解除板６には、連結解除板６の後端側８端部に連結解除紐１１が締結され、また、図４（ｃ）に示すように、連結解除板６の先端部７が斜め下方向に折り曲げられるように形成されている。連結解除紐１１のつまみ部１２を上部に引くことにより、連結解除板６が軸５を中心に回動するので、連結解除板６の後端側８が上側に回動すると共に、連結解除板６の先端部７の先端１０が下側に回動し、先端部７の先端１０が後記の雌スナップ部材４ｂの開口端部２０をベルト取付部１６側に押圧する。その結果、ハ字状凹部１４，１４に対してハ字状凸部１８，１８が相対的に離脱方向に移動し、雄スナップ部材４ａのハ字状凹部１４，１４と雌スナップ部材４ｂのハ字状凸部１８，１８との嵌合が解除されて、雄スナップ部材４ａと雌スナップ部材４ｂとの連結が解除され両者は分離される。
【００３１】
また、連結解除紐１１が取り付けられる連結解除板６の後端側８近傍に、例えば、三角形状の開口部９が設けられ、一方、後記する雌スナップ部材４ｂ本体の表面側の先端部近傍に、三角形状の突起部２０が設けられる。雄スナップ部材４ａの雄側磁石部１３と雌スナップ部材４ｂの雌側磁石部１７とが密着連結した際に、開口部９が突起部２０に嵌合するように形成されているので、雄スナップ部材４ａと雌スナップ部材４ｂとの相対的な移動が規制される。
【００３２】
しかも、連結解除板６が磁気吸引力により吸引される金属板などから構成されているので、連結解除板６が雄側磁石部１３の磁気吸引力により吸引される。その結果、連結解除板６が雄スナップ部材４ａ本体の表面に密着されるので、突起部２０は開口部９内で確実に嵌合状態が維持され、雄スナップ部材４ａと雌スナップ部材４ｂがより機械的に強固に連結される。また、連結解除板６が雄スナップ部材４ａ本体の表面に磁気吸引力に吸引されて密着されているので、安易に連結解除板６が回動されることがない。
【００３３】
雄スナップ部材４ａと雌スナップ部材４ｂの連結を解除するために、連結解除紐１１のつまみ部１２を上部に引くと、連結解除板６の後端側８が上側に回動するので、連結解除板６の開口部９が突起部２０から離脱させられると共に、連結解除板６の先端部７の先端１０が回動して、後記の雌スナップ部材４ｂの開口端部１９をベルト取付部１６側に押圧する。その結果、雄側磁石部１３と雌側磁石部１７とが磁気吸引力により密着されていた状態から、つまり雄側磁石部１３と雌側磁石部１７とを相互の磁気吸引力に抗して離脱させると、雄スナップ部材４ａのハ字状凹部１４，１４と雌スナップ部材４ｂのハ字状凸部１８，１８との嵌合が急速に解除され、雄スナップ部材４ａと雌スナップ部材４ｂとの連結が解除され分離される。
【００３４】
また、雄スナップ部材４ａと雌スナップ部材４ｂとを円滑かつ適正に連結させるために、雄スナップ部材４ａに、雄スナップ部材４ａと雌スナップ部材４ｂとの連結・分離の操作をする方向に平行に配列された２列のガイド部１５，１５が形成され、後記する雌スナップ部材４ｂには、ガイド部１５，１５に対応するガイド溝２１，２１が形成されている。その結果、雄スナップ部材４ａと雌スナップ部材４ｂとを連結する際、雄側磁石部１３と雌側磁石部１７とが磁気吸引力により吸引され始めると、ガイド部１５，１５がガイド溝２１，２１に沿ってガイドされ、雄スナップ部材４ａと雌スナップ部材４ｂとの連結を円滑かつ適正に行うことができる。
【００３５】
このような構成において、雄スナップ部材４ａは、図４（ａ）、（ｂ）に示すように、雄スナップ部材４ａの略中心部に雄側磁石部１３を備えている。雄側磁石部１３は、雄スナップ部材４ａに形成された収容領域に固定的に収容され、後記する雌スナップ部材４ｂ側の磁極が異種の雌側磁石部１７との間で磁気吸引力が働くようになっている。
なお、本実施形態では、相互の磁気吸引力により結合される２つの磁気部材として、雄側磁石部１３と雌側磁石部１７からなる磁石対を用いるようにしたが、１つの磁気部材と該磁気部材の磁気吸引力に吸引される金属部材とからなる磁気部材を用いてもよい。
【００３６】
≪雌スナップ部材４ｂの説明≫
図５は、雌スナップ部材４ｂの説明図であり、図５（ａ）は雄スナップ部材４ａの略ハ字状の列状凹部に形成されたハ字状凹部１４，１４と嵌合可能な略ハ字状の列状凸部に形成されたハ字状凸部１８，１８と、雄スナップ部材４ａの雄側磁石部１３と接離可能な雌側磁石部１７と、雄スナップ部材４ａの開口部９に嵌合可能な突起部２０と、雄スナップ部材４ａに設けられる連結解除板６の先端部７の先端１０により押圧される開口端部１９と、雄スナップ部材４ａのガイド部１５，１５をガイドするガイド溝２１，２１と、を有する表面側から見た形態を示し、図５（ｂ）は雄スナップ部材４ａの略ハ字状の列状凹部に形成されたハ字状凹部１４，１４と嵌合可能な略ハ字状の列状凸部に形成されたハ字状凸部１８，１８と、雄スナップ連結部材４ａに設けられる連結解除板６の先端部７の先端１０により押圧される開口端部１９と、を有する裏面側から見た形態を示し、図５（ｃ）は、図５（ａ）のｂ−ｂ線断面図である。
【００３７】
このような構成において、雌スナップ部材４ｂは、図５（ａ）、（ｂ）に示すように、雌スナップ部材４ｂの略中心部に雌側磁石部１７を備えている。雌側磁石部１７も、雌スナップ部材４ｂに形成された収容領域に固定的に収容され、雄スナップ部材４ａ側の磁極が異種の雄側磁石部１３との間で磁気吸引力が働くように形成されている。
【００３８】
また、雌スナップ部材４ｂは、短辺片側にブリッジベルト３のベルト部３ｂ側を通すベルト取付部２２を備えている。ベルト取付部２２は、ベルト部３ｂに対する雌スナップ部材４ｂの取り付け位置をベルト方向に調節移動し得るようにベルト部３ｂを雌スナップ部材４ｂの短辺片側において係止・移動可能に通す形状に形成されている。ベルト取付部２２は、ベルト部３ｂ側を折り返すように通した状態で縫着などにより取り付ける形状にて形成されている。
【００３９】
図６（ａ）は、雄スナップ部材４ａと雌スナップ部材４ｂとが連結された状態における連結部材４の表面側から見た状態を示す平面図であり、図６（ｂ）は、雄スナップ部材４ａと雌スナップ部材４ｂとが連結された状態における連結部材４の裏面側から見た状態を示す平面図である。図７（ａ）は図６（ａ）のｃ−ｃ線断面図であり、図７（ｂ）は図７（ａ）おける雄スナップ部材４ａと雌スナップ部材４ｂとが連結された状態から、連結解除紐１１のつまみ部１２を上部に引くことにより、連結解除板６が回動して後端部８が上部に持ち上げられて、開口部９が突起部２０から離脱させられると共に、先端部７の先端１０が回動して、開口端部１９をベルト取付部１６側に押圧し、雄側磁石部１３が雌側磁石部１７から離脱し始める状態を示す側面断面図である。
【００４０】
≪子守帯Ａの動作の説明≫
つぎに、以上のような構成からなる連結部材４を、両肩ベルト２の間隔を規制するブリッジベルト３の両ベルト部３ａ，３ｂの連結・分離用として適用してなる本実施形態に係る子守帯Ａについて、各図を適宜参照しながら説明する。
図３（ａ）は、雄スナップ部材４ａと雌スナップ部材４ｂとが結合した状態を表面側から見た斜視図であり、図３（ｂ）は雄スナップ部材４ａと雌スナップ部材４ｂとを離脱した状態を表面側から見た断面図である。また、図６（ａ）は雄側スナップ部材４ａと雌スナップ部材４ｂとが結合した状態を表面側から見た平面図であり、図６（ｂ）は、雄スナップ部材４ａと雌スナップ部材４ｂとが連結された状態を裏面側から見た平面図である。
【００４１】
図２（ａ）に示すように、幼児を前抱きの状態で保持すべく使用者が子守帯Ａを身体に装着する場合は、両肩ベルト２を両肩から両脇にかけ、この状態で背中側に存在するブリッジベルト３の両ベルト部３ａ，３ｂの連結部材４の雄スナップ部材４ａと雌スナップ部材４ｂとを背中に回した両手でそれぞれを掴み近づける。または、図２（ｂ）に示すように、幼児を背負いの状態で保持すべく使用者が子守帯Ａを身体に装着する場合も、両肩ベルト２を両肩から両脇にかけ、この状態で胸側に存在するブリッジベルト３の両ベルト部３ａ，３ｂの連結部材４の雄スナップ部材４ａと雌スナップ部材４ｂとを胸側において両手でそれぞれを掴み近づける。
【００４２】
このとき、図３（ｂ）に示すように、雄スナップ部材４ａの先端部と雌スナップ部材４ｂの先端部とが互いに向き合うように心がけて両先端部を矢印に示す方向に近づける。両先端部を近接させると、雄スナップ部材４ａと雌スナップ部材４ｂとは、雄側磁石部１３と雌側磁石部１７との相互の磁気引付力によって、雄スナップ部材４ａのガイド部１５，１５が雌スナップ部材４ｂのガイド溝２１，２１にガイドされ、雄側磁石部１３と雌側磁石部１７との相互の磁気引付力によって両者が速やかに吸引され、図３（ａ）に示すように、雄側磁石部１３と雌側磁石部１７とが密着連結（結合）される。
【００４３】
つまり、図６（ａ）、（ｂ）に示すように、雄側磁石部１３と雌側磁石部１７とが密着結合されると同時に、雌スナップ部材４ｂの略ハ字状の列状凸部に形成されたハ字状凸部１８，１８と雄スナップ部材４ａの略ハ字状の列状凹部に形成されたハ字状凹部１４，１４とが嵌合し、雄スナップ部材４ａと雌スナップ部材４ｂとの相対的な上下、左右方向の移動が規制される。さらに、連結解除板６の開口部９が雌スナップ部材４ｂの突起部２０に嵌合するように形成されているので両者は嵌合し、雄スナップ部材４ａと雌スナップ部材４ｂとの相対的な移動が強固に規制される。
【００４４】
しかも、図７（ａ）に示すように、金属板などからなる連結解除板６が雄側磁石部１３の磁気吸引力により吸引され、連結解除板６の裏面が雄スナップ部材４ａ本体の表面に密着されるので、雌スナップ部材４ｂの突起部２０に嵌合した連結解除板６の開口部９が、突起部２０から抜け難い状態で維持され、これによっても、雄スナップ部材４ａと雌スナップ部材４ｂとの連結状態が強固に維持される。
【００４５】
これにより、ブリッジベルト３の両ベルト部３ａ，３ｂは、結合された連結部材４の雄スナップ部材４ａと雌スナップ部材４ｂにより連結されて両肩ベルト２の間隔を規制する。
【００４６】
一方、図２（ａ）に示すように、幼児を前抱きの状態から使用者が子守帯Ａを身体から取り外す場合は、両肩から両肩ベルト２を両脇にかけた状態で背中側に存在するブリッジベルト３の両ベルト部３ａ，３ｂの連結部材４の雄スナップ部材４ａのつまみ部１２と雌スナップ部材４ｂとを背中に回した両手でそれぞれを掴む。または、図２（ｂ）に示すように、幼児を背負いの状態から使用者が子守帯Ａを身体から取り外す場合は、両肩から両肩ベルト２を両脇にかけ状態で胸側に存在するブリッジベルト３の両ベルト部３ａ，３ｂの連結部材４の雄スナップ部材４ａのつまみ部１２と雌スナップ部材４ｂとを胸側で両手でそれぞれを掴む。
【００４７】
このとき、連結部材４の雄スナップ部材４ａおよび雌スナップ部材４ｂは、図３（ａ）に示すような状態にある。この状態から、図７（ｂ）に示すように、一方の手で雌スナップ部材４ｂを掴み、他方の手で雄スナップ部材４ａの連結解除紐１１のつまみ部１２を、金属板などからなる連結解除板６と雄スナップ部材４ａの雄側磁石部１３との間の磁気吸引力に抗して、上部に引く。
連結解除紐１１のつまみ部１２を上部に引くことにより、連結解除板６が軸５を軸にして回動する。連結解除板６が回動することにより、連結解除板６の後端部８が上部に回動し、突起部２０と嵌合していた連結解除板６の開口部９の嵌合が外れ、雄スナップ部材４ａと雌スナップ部材４ｂとの相対的な移動の規制が解除される。
【００４８】
さらに、連結解除板６が回動することにより、連結解除板６の先端部７の先端１０が回動して、雌スナップ部材４ｂの開口端部１９を雄スナップ部材４ａ側に押圧するので、密着結合されていた雄側磁石部１３と雌側磁石部１７の離脱が強制され、雄側磁石部１３と雌側磁石部１７との磁気吸引力による密着結合が解除され、同時に、雄スナップ部材４ａのハ字状凹部１４，１４と雌スナップ部材４ｂのハ字状凸部１８，１８との嵌合も解除され、雄スナップ部材４ａと雌スナップ部材４ｂとの連結が解除され、両者は分離される。
【００４９】
このように、連結部材４の簡易操作により、ブリッジベルト３を連結・分離可能としてなる本実施形態に係る子守帯Ａによれば、使用者が子守帯Ａを身体に装着するとき、または身体から取り外すときに頗る簡単な操作によって行うことができる。これにより、身体への装着性が大幅に改善され、しかも、使用者の負担を大幅に軽減することができるなどの実用性に優れた使い勝手のよい子守帯Ａとすることができる。
【００５０】
本実施形態の考案によれば、連結部材４の雄スナップ部材４ａと雌スナップ部材４ｂとの連結（結合）は、雄側磁石部１３と雌側磁石部１７との相互の磁気引付力により雄スナップ部材４ａと雌スナップ部材４ｂとが密着結合される際、雌側スナップ部材４ｂに略ハ字状の列状凸部に形成されたハ字状凸部１８、１８が、略ハ字状の列状凹部に形成されたハ字状凹部１４，１４に嵌合された状態で保持されるので、一旦、ハ字状凸部１８，１８とハ字状凹部１４，１４とが嵌合されると、連結解除紐１１を上部に引かない限り、雄スナップ部材４ａと雌スナップ部材４ｂとの相対的な、上下、左右方向の移動が規制され、雄スナップ部材４ａと雌スナップ部材４ｂとが強固に連結（結合）され、分離されることはない。
【００５１】
さらに、雄スナップ部材４ａの雄側磁石部１３と雌スナップ部材４ｂの雌側磁石部１７とが密着連結（結合）した際に、連結解除板６の開口部９に雌スナップ部材４ｂの突起部２０が嵌合するように形成されているので、雄スナップ部材４ａと雌スナップ部材４ｂとの相対的な移動が規制される。ここで、連結解除板６が磁気吸引力により吸引される金属板などから構成されているので、連結解除板６が雄側磁石部１３の磁気吸引力により吸引され、その結果、連結解除板６が雄スナップ部材４ａ本体の表面に密着されるので、開口部９は突起部２０に確実に嵌合保持され、雄スナップ部材４ａと雌スナップ部材４ｂとの連結状態が強固に維持される。
これにより、使用時の高い信頼性と安全性を確保した子守帯Ａを提供することができる。
【００５２】
以上、本考案の実施形態について図面を参照して詳述してきたが、具体的な構成はこれらの実施形態に限られるものではなく、本考案の要旨を逸脱しない範囲の設計の変更などがあっても本考案に含まれる。
【００５３】
例えば、キャリア本体の下辺部側に取り付けられて使用者の腰部に巻き付け装着される腰ベルト（ウエストベルト）に、本実施形態詳述の連結部材を適用し、該連結部材の簡易操作によって、腰ベルトを連結・分離可能とすることもできる。
【００５４】
また、前記実施形態では、雄スナップ部材４ａの雄側磁石部１３と雌スナップ部材４ｂの雌側磁石部１７との双方に磁気部材である永久磁石などの磁石を設けてなる形態として詳述したが、雄スナップ部材４ａ側のみに磁石を設け、雌スナップ部材４ｂには磁石により吸引される鉄片などからなる磁気部材を設けてなる形態とすることもできる。
【００５５】
また、国際放射線防護委員会（ＩＣＲＰ）によれば、磁気の人体に与える暴露量を４００ミリテスラ以下とするガイドラインが設定されている。本実施形態では、暴露量はこのガイドラインの基準内に保たれているが、より磁気の人体への影響を軽減するとともに、使用感を低減させないようにするために、図８（ａ）、（ｂ）に示すように、一端がブリッジベルト３のベルト部３ｂに繋がり、他端側が、雌スナップ部材４ｂの雌側磁石部１７と人体との間を通り、雌スナップ部材４ｂの外側まで伸びる布などで出来た舌状体２３を設けるようにしてもよい。
【符号の説明】
【００５６】
Ａ      子守帯
１      キャリア本体
２      肩ベルト
３      ブリッジベルト
４      連結部材
４ａ    雄スナップ部材
４ｂ    雌スナップ部材
５      軸部
６      連結解除板
７      先端部
８      後端部
９      開口部
１０    先端
１１    連結解除紐
１２    つまみ部
１３    雄側磁石部
１４    ハ字状凹部
１５    ガイド部
１６    ベルト取付部
１７    雌側磁石部
１８    ハ字状凸部
１９    開口端部
２０    突起部
２１    ガイド溝
２２    ベルト取付部
２３    舌状体
【図１】
0003208413.tif 000003
【図２】
0003208413.tif 000004
【図３】
0003208413.tif 000005
【図４】
0003208413.tif 000006
【図５】
0003208413.tif 000007
【図６】
0003208413.tif 000008
【図７】
0003208413.tif 000009
【図８】
0003208413.tif 000010
【手続補正書】
【提出日】平成28年11月6日(2016.11.6)
【手続補正１】
【補正対象書類名】実用新案登録請求の範囲
【補正対象項目名】請求項６
【補正方法】変更
【補正の内容】
【請求項６】
前記連結解除板の先端部の先端に前記嵌合部の嵌合を解除するための押圧部を設け、前記他方のスナップ部材に、前記一方のスナップ部材と前記他方のスナップ部材とを分離する際に前記押圧部により押圧される開口端部を設けたことを特徴とする請求項２に記載の子守帯。
【手続補正２】
【補正対象書類名】実用新案登録請求の範囲
【補正対象項目名】請求項７
【補正方法】変更
【補正の内容】
【請求項７】
前記嵌合部は、前記一方のスナップ部材に設けられる略ハ字状の列状凹部に形成されたハ字状凹部と、前記他方のスナップ部材に設けられる略ハ字状の列状凸部に形成されたハ字状凸部からなることを特徴とする請求項２又は請求項６に記載の子守帯。